(57)【要約】  【課題】処置具を使用するたびに、処置具挿通口からの鉗子栓の脱着作業をなくすことで、術者の負担を軽減するとともに、検査時間の短縮を図れる内視鏡用鉗子栓を提供すること。  【解決手段】鉗子栓３は、外装部材３ａと、気密閉塞部材３ｂと、処置具密着部材３ｃとで構成される。外装部材３ａには超音波内視鏡２に設けられている口金部２８に配置される口金取り付け部３１と、操作部取り付け部３０とが設けられいてる。内部空間部３４には第１凸部３６ａ及び第２凸部３６ｂが形成されている。第２凸部３６ｂは、口金部２８から鉗子栓３が脱落することを防止するための凸部である。気密閉塞部材３ｂにはスリット３７ｂを有する閉塞部３７ｃとが設けられている。鉗子栓３は、圧入することによって口金部２８に対して一体的に配設される。この配設状態とき、鉗子栓３を介して処置具の挿抜を自在に行える。【選択図】図２
2005137814.tif 000002
【特許請求の範囲】
【請求項１】
内視鏡に設けられた処置具挿通口に配置されて、この処置具挿通口を略気密に閉塞する内視鏡用鉗子栓であって、
前記処置具挿通口に配置される取り付け部を有する鉗子栓外装部材に、処置具の操作部を着脱自在にする処置具操作部係止部を設けたことを特徴とする内視鏡用鉗子栓。
【請求項２】
内視鏡の処置具挿通口に配置される取り付け部及び前記処置具挿通口を介して導入される処置具の基端部に設けられた操作部が着脱自在な処置具操作部係止部を備えた筒状の鉗子栓外装部材と、
この鉗子栓外装部材の内部空間に配置される弾性部材で形成され、前記処置具挿通口を略気密に閉塞するとともに、前記処置具が挿通自在な連通部を有する弁部材と、
を具備することを特徴とする内視鏡用鉗子栓。
【発明の詳細な説明】
【技術分野】
【０００１】
本発明は、内視鏡に設けられている処置具挿通口に配置されて、この処置具挿通口を略気密に閉塞する内視鏡用鉗子栓に関する。
【背景技術】
【０００２】
一般に、医療用として使用される内視鏡は、生体内に挿入される挿入部と、この挿入部の基端部に設けられた操作部とで主に構成されている。前記挿入部の内部に処置具挿通チャンネルを設けた内視鏡では、この処置具挿通チャンネルを介して生検鉗子などの処置具を体腔内に導入することによって診断や処置等を行うことができる。
【０００３】
前記挿入部内に配設される処置具挿通チャンネルの先端側は、挿入部の先端部に形成されているチャンネル開口に連通し、基端側はチャンネル分岐部を経て一方が内視鏡操作部の処置具挿通口に連通し、他方が吸引管路に連通している。前記吸引管路は口金やチューブなどを介して吸引機へ接続される。
【０００４】
一般的に内視鏡検査では、体腔内の粘液など検査の支障となる液状物質を取り除くために吸引をかける必要があるが、処置具挿通開口から空気が吸引されてしまうと、チャンネル開口から目的の粘液などを吸引できなくなる。このため、前記処置具挿通口には口金を設け、この口金に気密弁を装着することによって処置具挿通開口からの空気漏れを防ぎ、目的の粘液などを吸引できるようにしている。
【０００５】
前記気密弁としては、例えば、特開昭６２−２７５４４７号公報に、内視鏡の処置具挿通口を気密的に閉塞する閉塞膜を有し、この閉塞膜にスリットを形成した内視鏡用鉗子栓が示されている。この内視鏡用鉗子栓では、このスリットを通じて鉗子等の処置具を気密的に内視鏡の処置具挿通口に導入することが可能である。
【０００６】
しかし、処置具の種類によっては、処置具の基端部に設けられている操作部を前記口金部に一体に装着して使用するものがある。このような処置具を前記口金部に装着する際には、前記内視鏡用鉗子栓を口金部から一度取り外し、その後、この口金部に前記処置具の操作部を装着して処置等を行わなければならない。そのため、繰り返し、処置具を使用する手技においては、前記口金部に対して、内視鏡用鉗子栓と処置具とを交互に取り付ける作業が必要になり、術者にとって繁雑な作業であった。
【０００７】
例えば、特開２００２−０１７６６５号公報には前記口金部への取付けが簡単で、かつ確実な内視鏡用器具が示されている。この内視鏡用器具を使用することによって、前記口金部に対して処置具の操作部を素早く着脱することが可能になる。
【特許文献１】特開昭６２−２７５４４７号公報
【特許文献１】特開２００２−０１７６６５号公報
【発明の開示】
【発明が解決しようとする課題】
【０００８】
しかしながら、前記特開２００２−０１７６６５号公報に示されている内視鏡用器具を、超音波用穿刺針に採用した場合、超音波用穿刺針の操作部を口金部へ着脱する作業についての改善は図れるが、内視鏡用鉗子栓を口金部へ取り付け及び取り外しする作業の煩雑性に関する問題は未解決の状態であり、検査時間の短縮のためにも改善が望まれている。
【０００９】
本発明は上記事情に鑑みてなされたものであり、処置具を使用するたびに、処置具挿通口からの脱着作業を不要にした内視鏡用鉗子栓を提供することを目的にしている。
【課題を解決するための手段】
【００１０】
本発明の内視鏡用鉗子栓は、内視鏡に設けられた処置具挿通口に配置されて、この処置具挿通口を略気密に閉塞する内視鏡用鉗子栓であって、
前記処置具挿通口に配置される取り付け部を有する鉗子栓外装部材に、処置具の操作部を着脱自在にする処置具操作部係止部を設けている。
【００１１】
また、本発明の内視鏡用鉗子栓は、内視鏡の処置具挿通口に配置される取り付け部及び前記処置具挿通口を介して導入される処置具の基端部に設けられた操作部が着脱自在な処置具操作部係止部を備えた筒状の鉗子栓外装部材と、この鉗子栓外装部材の内部空間に配置される弾性部材で形成され、前記処置具挿通口を略気密に閉塞するとともに、前記処置具が挿通自在な連通部を有する弁部材とを具備している。
【００１２】
この構成によれば、内視鏡用鉗子栓を処置具挿通口に取り付けることによって、処置具挿通口は略気密に閉塞される。そして、この内視鏡用鉗子栓を取り付けた状態のままで、処置具を挿入し、その操作部を鉗子栓外装部材に設けた処置具操作部係止部に着脱させることができる。このときも、略気密状態が保持されたままとなる。
【発明の効果】
【００１３】
本発明によれば、処置具を使用するたびに、処置具挿通口からの鉗子栓の脱着作業が不要であるので、術者の負担を軽減できるとともに、検査時間の短縮を図れる内視鏡用鉗子栓を提供することができる。
【発明を実施するための最良の形態】
【００１４】
以下、図面を参照して本発明の実施の形態を説明する。  
図１ないし図５は本発明の一実施形態に係り、図１は内視鏡装置の構成例を説明する図、図２は鉗子栓の構成を説明する図、図３は鉗子栓と口金部との関係を説明する図、図４は口金部に圧入配置されている鉗子栓に処置具を挿通する状態を説明する図、図５は口金部に圧入配置されている鉗子栓に処置具の操作部を固設した状態を説明する図である。
【００１５】
なお、図３（ａ）は口金部に鉗子栓を圧入配置させた状態を示す図、図３（ｂ）は鉗子栓に設けたツマミ部及び切り込み溝を説明する図、図３（ｃ）は鉗子栓の口金取り付け部を破断させた状態を説明する図である。
【００１６】
図１に示すように本実施形態の内視鏡装置１は、例えば超音波内視鏡２と、内視鏡用鉗子栓（以下、鉗子栓と略記する）３と、例えば超音波用穿刺針（以下、穿刺針と略記する）４とで主に構成されている。
【００１７】
前記超音波内視鏡２は、体腔内に挿入される細長の挿入部２ａと、この挿入部２ａの基端に位置する操作部２ｂと、この操作部２ｂの側部から延出するユニバーサルコード２ｃとで主に構成されている。このユニバーサルコード２ｃの基端部には図示しない光源装置に接続される内視鏡コネクタが設けられている。この内視鏡コネクタからは図示しない超音波観測装置に接続される超音波ケーブルが延出している。
【００１８】
前記挿入部２ａは、先端側から順に先端硬質部２１、湾曲部２２、可撓管部２３を連設して構成されている。前記先端硬質部２１の先端には例えば超音波を送受する複数の圧電素子を配列して構成したコンベックス型の超音波振動子を備えた超音波振動子部２４が配設されている。
【００１９】
前記操作部２ｂには前記湾曲部２２を所望の方向に湾曲動作させるためのアングルノブ２５と、送気及び送水操作を行うための送気・送水ボタン２６ａ、吸引操作を行うための吸引ボタン２６ｂ、前記超音波用穿刺針４等の処置具を体腔内に導入するための処置具挿通口２７が設けられている。符号２８は口金部であり、この口金部２８に前記鉗子栓３が取り付けられるようになっている。
【００２０】
前記処置具挿通口２７は、前記挿入部２ａ内に設けられている図示しない処置具挿通用チャンネルに連通する開口部である。この処置具挿通口２７及び処置具挿通用チャンネルを介して挿通された処置具は先端硬質部２１に形成されている図示しない鉗子出口から突出される。
【００２１】
また、処置具挿通用チャンネルの基端側には図示しない分岐部があり、一方が前述の処置具挿通口２７へ、他方が図示しない吸引管路へ連通している。
【００２２】
図２に示すように前記鉗子栓３は、弾性を有する樹脂部材で形成した略筒状の鉗子栓外装部材（以下、外装部材と略記する）３ａと、合成ゴムや弾性を有する樹脂部材等の弾性部材で形成した略管状の第１弁部材である気密閉塞部材３ｂと、合成ゴムや弾性を有する樹脂部材等の弾性部材で形成した略管状の第２弁部材である処置具密着部材３ｃとで構成されている。
【００２３】
前記外装部材３ａには前記超音波内視鏡２の処置具挿通口２７に設けられている口金部２８に配置される口金取り付け部３１と、操作部取り付け部３０を構成する前記穿刺針４の後述する操作部が着脱自在に取り付け可能な、鉗子栓外装部材３ａの上部側外周側部に突出したフランジ部で構成された、処置具操作部係止部（以下、処置具係止部と略記する）３２及びこの処置具係止部３２に取り付けられた操作部の先端面が当接配置される鍔部３３を有して構成されている。
【００２４】
また、この外装部材３ａの前記処置具係止部３２を有する上面部略中央部には内部空間部３４に連通する処置具挿入用貫通孔（以下、貫通孔と略記する）３５が形成されている。
【００２５】
前記内部空間部３４は、弁部材配置空間３４ａと口金配置空間３４ｂとで構成され、前記内部空間部３４の内周面所定位置には第１凸部３６ａ及び第２凸部３６ｂが形成されている。前記第１凸部３６ａは前記気密閉塞部材３ｂ及び前記処置具密着部材３ｃを前記弁部材配置空間３４ａ内に配置保持するための凸部であり、例えば球面状に形成されている。一方、前記第２凸部３６ｂは、前記口金部２８から鉗子栓３が脱落することを防止するための凸部であり、前記口金部２８の段部２８ａに対して所定の弾性力によって密着固定する構成になっている。
【００２６】
前記気密閉塞部材３ｂにはＯリング状部３７ａと連通部であるスリット３７ｂを有する閉塞部３７ｃとが設けられている。前記Ｏリング状部３７ａの内径寸法は、後述する操作部支持パイプ部材の外径寸法より小径に形成してある。前記スリット３７ｂは、前記閉塞部３７ｃの略中央部に、例えば前記操作部支持パイプ部材が挿通するように形成されている。
【００２７】
前記処置具密着部材３ｃには例えば前記操作部支持パイプ部材が挿通する小孔３８ａを有する仕切部３８が設けられている。この小孔３８ａの内径寸法は、前記処置具の挿入部の外径寸法より小径に形成してある。
【００２８】
そして、前記気密閉塞部材３ｂ及び処置具密着部材３ｃを前記前記弁部材配置空間３４ａ内に配設した状態のとき、前記スリット３７ｂは気密閉塞部材３ｂの有する弾性力によって密着状態になって、閉塞状態を保持している。
【００２９】
前記鉗子栓３は、矢印に示すように口金部２８に対して圧入することによって、図３（ａ）に示すように前記口金部２８に対して一体的に固設される。この固設状態のとき、前記鉗子栓３の前記口金配置空間３４ｂに形成されている第２凸部３６ｂの弾性力によってこの鉗子栓３は脱落することなく前記口金部２８に確実に固設される。このことによって、後述するようにこの鉗子栓３を介して処置具の挿抜を自在に行える。
【００３０】
図３（ｂ）に示すように前記鉗子栓３を構成する口金取り付け部３１の例えば下部外周側部にはこの側部より突出したツマミ部３９が設けられている。このツマミ部３９の両側には前記鍔部３３に至る切り込み溝３１ａが形成されている。
【００３１】
図３（ｃ）に示すように前記口金部２８に圧入されている鉗子栓３を取り外す際、前記ツマミ部３９を把持し、このツマミ部３９を前記鍔部３３方向に引き上げる。このことによって、前記鉗子栓３を構成する口金取り付け部３１の一部が前記切り込み溝３１ａに沿って破断される。すると、前記第２凸部３６ｂの弾性力による前記鉗子栓３の前記口金部２８への固定状態が解除されて、この口金部２８から前記鉗子栓３を容易に取り外すことができる。そして、前記口金部２８から取り外された鉗子栓３においては、口金取り付け部３１の一部が破断されていることによって、再使用不能な状態になる。
【００３２】
前記図１に示すように前記穿刺針４は、前記超音波内視鏡２の図示しない処置具挿通用チャンネルに挿入される処置具挿入部４１と、この処置具挿入部４１の基端部に配置された把持部を兼ねる操作部４２とで主に構成されている。
【００３３】
前記処置具挿入部４１は、外装を構成するシース４３と、このシース４３内に摺動自在に配置される図示しない針管及びスタイレットとを備えて構成されている。  
前記針管は生体組織に穿刺されて病変組織等の採取を行うものであり、前記シース４３内に進退自在に挿通配置される。この針管は細長で薄肉の例えばステンレスパイプで形成されている。また、前記スタイレットは前記針管の先端部内に採取された病変組織等を押し出すとき等に使用され、前記針管内に進退自在に挿通配置される。このスタイレットは、細長な例えばステンレス棒状部材で形成されている。
【００３４】
一方、前記操作部４２は、操作部本体４４と、スライダ４５と、スタイレット操作部４６とで主に構成されている。  
前記操作部本体４４の先端部には前記超音波内視鏡２の操作部２ｂに設けられている口金部２８に対して素早く一体的に固設することを可能にする連結部材である取り付け部材４７が設けられている。この取り付け部材４７には係合孔４７ｂと係合解除孔４７ｃとを有する移動自在な構成のスライド部材４７ａが備えられている。また、前記操作部本体４４の先端部からは前記処置具挿通口２７を介して操作部２ｂのチャンネル孔（図２の符号２７ａ）内に挿通配置される例えばステンレスパイプ製の操作部支持パイプ部材４８が突設されている。
【００３５】
なお、この操作部支持パイプ部材４８は、処置具の操作部を鉗子栓３を介して操作部２ｂに対して安定的に固設させる必要のある構成においてのみ設けられるものである。また、符号４９はストッパ部である。このストッパ部４９は前記操作部本体４４に対して摺動自在に配置されるようになっている。具体的にはこのストッパ部４９を構成するストッパ本体４９ａを所望する位置に配置させた状態で、固定ネジ４９ｂを締結状態にすることによって、前記ストッパ部４９が所望の位置に固定されて、前記スライダ４５の突出距離、例えばＬが設定される。
【００３６】
上述のように構成した内視鏡装置１の作用を説明する。  
まず、図３（ａ）に示したように鉗子栓３を口金部２８に圧入配置する。このとき、前記気密閉塞部材３ｂのスリット３７ｂは弾性力によって密着されているので、超音波内視鏡２の処置具挿通用チャンネル内は外部に対して閉塞状態になっている。
【００３７】
次に、図４に示すように前記穿刺針４の挿入部４１を構成するシース４３を貫通孔３５、チャンネル孔２７ａを介して前記処置具挿通用チャンネル内に挿通させてていく。このとき、前記シース４３は、前記スリット３７ｂ、小孔３８ａの弾性力に抗して、これらスリット３７ｂ及び小孔３８ａを通過して、前記チャンネル孔２７ａ内に導かれていく。この挿通状態において、前記シース４３の外周面には前記スリット３７ｂ及び前記小孔３８ａの内周面が密着した状態になる。
【００３８】
次いで、さらに前記シース４３を挿通させていく。このことによって、前記操作部支持パイプ部材４８が前記Ｏリング状部３７ａの付勢力、スリット３７ｂの付勢力、小孔３８ａの付勢力に抗して、チャンネル孔２７ａ内に配置される。その後、前記スライド部材４７ａの係合解除孔４７ｃが処置具係止部３２を通過して、前記穿刺針４の操作部４２の先端面が前記鍔部３３に当接した状態になる。
【００３９】
ここで、前記スライド部材４７ａを移動させて、前記処置具係止部３２と前記鍔部３３との間に係合解除孔４７ｃの代わりに係合孔４７ｂを配置させる。このことによって、図５に示すように前記穿刺針４の操作部４２が前記鉗子栓３に一体的に固定される。この固定状態のとき、安定した穿刺を行える。
【００４０】
この穿刺針４による穿刺を完了したなら、前記スライド部材４７ａを移動させて前記処置具係止部３２と前記鍔部３３との間に再び係合解除孔４７ｃを配置させ、穿刺針４の操作部４２を鉗子栓３から取り外すとともに、前記挿入部４１を前記処置具挿通用チャンネル内から抜去して、検体の採取を行う。このとき、前記鉗子栓３を口金部２８に圧入配置させたままの状態にしておく。
【００４１】
そして、前記鉗子栓３を前記操作部２ｂの口金部２８に圧入配置させた状態で、穿刺針４の処置具挿通用チャンネル内への挿入及び抜去を繰り返し行って、複数箇所の検体の採取を行える。
【００４２】
このように、鉗子栓を筒状の外装部材と、この外装部材の内部空間部内に配置される気密閉塞部材及び処置具密着部材とで構成し、前記外装部材に口金部に取り付けるための口金取り付け部及び処置具の操作部を取り付けるための処置具係止部と鍔部とを設けたことによって、この鉗子栓の口金取り付け部を操作部の処置具挿通口に設けられている口金部に圧入することによって、この鉗子栓を確実に口金部に圧入配置することができるとともに、この鉗子栓を口金部に圧入配置させた状態で処置具に設けられている操作部の取り付け及び取り外しを行うことができる。
【００４３】
このことによって、鉗子栓を操作部から脱着させる作業を行うことなく、この鉗子栓を介して処置具の処置具挿通用チャンネル内への挿入を繰り返し、容易に行える。
【００４４】
また、鉗子栓にツマミ部及び切り込み溝を設けことによって、このツマミ部を引き上げて、口金取り付け部を破断することによって、口金部に圧入配置されている鉗子栓を容易にこの口金部から取り外すことができるとともに、口金取り付け部が破断されて口金部から取り外された鉗子栓が再使用されることを確実に防止することができる。
【００４５】
さらに、処置具の操作部に、操作部のチャンネル孔内に配置される、操作部支持パイプ部材を設けたことによって、鉗子栓が弾性部材で形成されているにもかかわらず、この鉗子栓に配設された処置具の操作部を安定した状態で操作部に対して固設することができる。
【００４６】
なお、鉗子栓及び連結部材の構成は上述した実施形態に限定されるものではなく、図６ないし図１０に示すような構成であっても上述と同様の作用及び効果を得ることができる。  
ここで、図６は鉗子栓及び連結部材の他の構成を説明する図、図７は鉗子栓と連結部材との連結固定状態を説明する図、図８は鉗子栓及び連結部材の別の構成を説明する図、図９は鉗子栓及び連結部材のまた他の構成を説明する図、図１０は口金部に配設された鉗子栓と連結部材との関係を説明する図であり、図８（ａ）は鉗子栓を説明する断面図、図８（ｂ）は鉗子栓と連結部材との連結固定状態を説明する図、図１０（ａ）は鉗子栓を口金部に配設した状態を示す図、図１０（ｂ）は口金部に場移設された鉗子栓と連結部材との連結固定状態を説明する図である。
【００４７】
まず、図６及び図７を参照して鉗子栓及び連結部材の他の構成を説明する。  
図６に示すように本実施形態においては、鉗子栓３Ａを構成する外装部材３ｄの上方側外周面に処置具取り付け部となる複数の穴部、複数の透孔、或いは周状凹部等の係入部５１を設ける一方、前記穿刺針４の操作部４２に設ける連結部材を爪部５２ａを有する弾性連結部５２と、前記爪部５２ａを開状又は閉状態に開閉動作させる開閉動作部材５３とで構成している。その他の構成は上述した実施形態と同様であり、同部材には同符号を付して説明を省略する。
【００４８】
図７に示すように口金部２８に圧入配置されている鉗子栓３Ａの係入部５１に、前記穿刺針４の操作部４２に設けられている弾性連結部５２の爪部５２ａを配置し、前記開閉動作部材５３を破線に示す位置から実線に示す位置まで移動させる。このことによって、前記弾性連結部５２の爪部５２ａが前記係入部５１に配置されて、前記穿刺針４の操作部４２が前記鉗子栓３Ａを介して操作部２ｂに一体的に固設される。
【００４９】
なお、前記係入部５１を少なくとも等間隔で３つ設けることによって、前記操作部４２を鉗子栓３Ａを介して前記操作部２ｂに安定した状態で固定することができる。
【００５０】
次に、図８（ａ）及び図８（ｂ）を参照して鉗子栓及び連結部材の別の構成を説明する。  
図８（ａ）に示すように本実施形態においては、鉗子栓３Ｂを構成する外装部材３ｅの図中上部に処置具取り付け部としてルアー口金部５４を設ける一方、前記穿刺針４の操作部４２に設ける連結部材をルアー口金５５としている。その他の構成は上述した実施形態と同様であり、同部材には同符号を付して説明を省略する。
【００５１】
図８（ｂ）に示すように口金部２８に圧入配置されている鉗子栓３Ｂのルアー口金部５４に対して、前記穿刺針４の操作部４２に設けられているルアー口金５５を配置する。このことによって、前記ルアー口金部５４に前記ルアー口金５５が一体に配置されて、前記穿刺針４の操作部４２が前記鉗子栓３Ｂを介して操作部２ｂに一体的に固設される。
【００５２】
次いで、図９ないし図１０（ｂ）を参照して鉗子栓及び連結部材のまた他の構成を説明する。  
図９に示すように本実施形態においては、鉗子栓３Ｃを構成する外装部材３ｆに形成する処置具係止部３２の形状を前記口金部２８と同形状に形成するとともに、この外装部材３ｆに形成する処置具係止部３２と鍔部３３との位置関係を前記口金部２８と操作部２ｂとの位置関係と同様に設定している。その他の構成は上述した実施形態と同様であり、同部材には同符号を付して説明を省略する。
【００５３】
図１０（ａ）に示すように口金部２８に鉗子栓３Ｃを圧入配置させることによって、操作部２ｂには前記口金部２８の代わりに、この口金部２８と同様の処置具係止部３２を備えた鉗子栓３Ｃが配置される。
【００５４】
したがって、図１０（ｂ）に示すように、例えば、元々内視鏡の口金部２８に直接取り付けるように構成した取り付け部材４７を備えた操作部４２を、鉗子栓３Ｃを介して、前記口金部２８に取り付けることができる。このことによって、前記穿刺針４の操作部４２が前記鉗子栓３Ｃを外すことなく操作部２ｂに一体的に固設される。
【００５５】
なお、本発明は、以上述べた実施形態のみに限定されるものではなく、発明の要旨を逸脱しない範囲で種々変形実施可能である。
【００５６】
［付記］
以上詳述したような本発明の上記実施形態によれば、以下の如き構成を得ることができる。
【００５７】
（１）内視鏡に設けられた処置具挿通口に配置されて、この処置具挿通口を略気密に閉塞する内視鏡用鉗子栓であって、
前記処置具挿通口に配置される取り付け部を有する鉗子栓外装部材に、処置具の操作部を着脱自在にする処置具操作部係止部を設けた内視鏡用鉗子栓。
【００５８】
（２）内視鏡の処置具挿通口に配置される取り付け部及び前記処置具挿通口を介して導入される処置具の基端部に設けられた操作部が着脱自在な処置具操作部係止部を備えた筒状の鉗子栓外装部材と、
この鉗子栓外装部材の内部空間に配置される弾性部材で形成され、前記処置具挿通口を略気密に閉塞するとともに、前記処置具が挿通自在な連通部を有する弁部材と、
を具備する内視鏡用鉗子栓。
【００５９】
（３）前記鉗子栓外装部材は所定の弾性を有する樹脂部材で形成される付記２に記載の内視鏡用鉗子栓。
【００６０】
（４）前記弁部材はゴム部材で形成される付記２に記載の内視鏡用鉗子栓。
【００６１】
（５）前記処置具操作部係止部は、前記鉗子栓外装部材の外周部に設けた少なくとも１つ以上のフランジ部である付記１ないし付記３のいずれか１つに記載の内視鏡用鉗子栓。
【００６２】
（６）前記処置具操作部係止部は、凹部若しくは穴部である付記１ないし付記３のいずれか１つに記載の内視鏡用鉗子栓。
【００６３】
（７）前記処置具操作部係止部は、ルア口金形状である付記１ないし付記３のいずれか１つに記載の内視鏡用鉗子栓。
【００６４】
（８）前記処置具操作部係止部を、内視鏡の処置具挿通口を構成する口金部と略同一形状に構成した付記１ないし付記３のいずれか１つに記載の内視鏡用鉗子栓。
【００６５】
（９）処置具挿通口を有する内視鏡と、前記処置具挿通口に着脱自在に配置される操作部を有する処置具と、前記処置具挿通口に配置されてこの処置具挿通口を略気密に閉塞する内視鏡用鉗子栓とを具備する内視鏡装置において、
前記内視鏡用鉗子栓に、前記処置具の操作部を着脱自在にする処置具操作部係止部を設けたことを特徴とする内視鏡装置。
【図面の簡単な説明】
【００６６】
【図１】図１ないし図５は本発明の一実施形態に係り、図１は内視鏡装置の構成例を説明する図
【図２】鉗子栓の構成を説明する図
【図３】鉗子栓と口金部との関係を説明する図
【図４】口金部に圧入配置されている鉗子栓に処置具を挿通する状態を説明する図
【図５】口金部に圧入配置されている鉗子栓に処置具の操作部を固設した状態を説明する図
【図６】鉗子栓及び連結部材の他の構成を説明する図
【図７】鉗子栓と連結部材との連結固定状態を説明する図
【図８】鉗子栓及び連結部材の別の構成を説明する図
【図９】鉗子栓及び連結部材のまた他の構成を説明する図
【図１０】口金部に配設された鉗子栓と連結部材との関係を説明する図
【符号の説明】
【００６７】
３…鉗子栓    
３ａ…外装部材    
３ｂ…気密閉塞部材    
３ｃ…処置具密着部材    
３０…操作部取り付け部
３１…口金取り付け部    
３２…処置具係止部
３３…鍔部
３６ａ…第１凸部
３６ｂ…第２凸部
３７ｂ…スリット
３８ａ…小孔
代理人    弁理士    伊藤  進
【図１】
2005137814.tif 000003
【図２】
2005137814.tif 000004
【図３】
2005137814.tif 000005
【図４】
2005137814.tif 000006
【図５】
2005137814.tif 000007
【図６】
2005137814.tif 000008
【図７】
2005137814.tif 000009
【図８】
2005137814.tif 000010
【図９】
2005137814.tif 000011
【図１０】
2005137814.tif 000012